(57)【要約】【課題】ユーティリティー機能を備えたホルダーを複数備えており、これら複数のホルダーを車両の前後方向に沿って組み付けて出来上がる車両のコンソールであっても、別途に、収納機能を有するホルダーを必要とすることなく、新たな、収納スペースを確保できること。【解決手段】車両のコンソール１は、ユーティリティー機能を備えたホルダー２０、２０、２０、２０を複数備えており、これら複数のホルダー２０、２０、２０、２０を車両の前後方向に沿って組み付けて出来上がる。これら各ホルダー２０、２０、２０、２０における車両の前後方向の壁面２０ａ、２０ｂには、凹部６０、６０がそれぞれ形成されており、この凹部６０、６０は、これら複数のホルダー２０、２０、２０、２０を車両の前後方向に沿って組み付けると、隣り合うホルダー２０、２０との間で収納スペースＳを成すように形成されている。【選択図】図３
2014058271.tif 000002
【特許請求の範囲】
【請求項１】
ユーティリティー機能を備えたホルダーを複数備えており、これら複数のホルダーを車両の前後方向に沿って組み付けて出来上がる車両のコンソールであって、
これら各ホルダーにおける車両の前後方向の壁面には、凹部がそれぞれ形成されており、
この凹部は、これら複数のホルダーを車両の前後方向に沿って組み付けると、隣り合うホルダーとの間で収納スペースを成すように形成されていることを特徴とする車両のコンソール。
【請求項２】
請求項１に記載の車両のコンソールであって、
ホルダーは、ユーティリティー機能が収納機能を成すようにボックス状に形成されていると共に、その高さ方向に複数積み重ね可能となっていることを特徴とする車両のコンソール。
【請求項３】
請求項２に記載の車両のコンソールであって、
凹部には、最上段に位置するホルダーの収納部の開口を覆い可能なトレイを有するテーブルの脚を挿し込み可能となっていることを特徴とする車両のコンソール。
【発明の詳細な説明】
【技術分野】
【０００１】
本発明は、車両のコンソールに関し、詳しくは、ユーティリティー機能を備えたホルダーを複数備えており、これら複数のホルダーを車両の前後方向に沿って組み付けて出来上がる車両のコンソールに関する。
【背景技術】
【０００２】
従来、車両の運転席と助手席との間には、各種のユーティリティー機能（例えば、ドリンク容器入れとしてのドリンク収納機能、小物入れとしての小物収納機能等）を複数備えたコンソールが設けられている。ここで、下記特許文献１には、これら複数のユーティリティー機能がホルダーとして独立しており（例えば、ドリンク容器を収納できる機能を備えたカップホルダーと、小物を収納できる機能を備えたボックスホルダーとが独立しており）、これら独立した複数のホルダーを車両の前後方向に沿って、車両のフロアに締結されているベースに対して組み付けて出来上がるコンソールが開示されている。これにより、ユーザーが希望するユーティリティー機能を備えたものにコンソールをカスタマイズできるため、ユーザーにとってコンソールを利便性の高いものにできる。
【先行技術文献】
【特許文献】
【０００３】
【特許文献１】特願２０１１−２２２９６１
【発明の概要】
【発明が解決しようとする課題】
【０００４】
しかしながら、上述した特許文献１のコンソールでは、既に、ドリンク容器を収納したり小物を収納したりしてカップホルダーやボックスホルダーを使用していると、これらホルダーに他の収納物（例えば、携帯電話、ペン等）を収納できないという問題が発生していた。
【０００５】
本発明は、このような課題を解決しようとするもので、その目的は、ユーティリティー機能を備えたホルダーを複数備えており、これら複数のホルダーを車両の前後方向に沿って組み付けて出来上がる車両のコンソールであっても、別途に、収納機能を有するホルダーを必要とすることなく、新たな、収納スペースを確保できることである。
【課題を解決するための手段】
【０００６】
本発明は、上記の目的を達成するためのものであって、以下のように構成されている。
請求項１に記載の発明は、ユーティリティー機能を備えたホルダーを複数備えており、これら複数のホルダーを車両の前後方向に沿って組み付けて出来上がる車両のコンソールであって、これら各ホルダーにおける車両の前後方向の壁面には、凹部がそれぞれ形成されており、この凹部は、これら複数のホルダーを車両の前後方向に沿って組み付けると、隣り合うホルダーとの間で収納スペースを成すように形成されていることを特徴とする構成である。
この構成によれば、別途に、収納機能を有するホルダーを必要とすることなく、新たな、収納スペースＳを確保できる。このように確保できると、例えば、図３に示すように、４個のカップホルダーにドリンク容器をそれぞれ収納していても、この確保できた収納スペースに携帯電話やペンを収納できる。
【０００７】
また、請求項２に記載の発明は、請求項１に記載の車両のコンソールであって、ホルダーは、ユーティリティー機能が収納機能を成すようにボックス状に形成されていると共に、その高さ方向に複数積み重ね可能となっていることを特徴とする構成である。
この構成によれば、例えば、ホルダーを２段積にすれば、収納物を２倍収納できる。
【０００８】
また、請求項３に記載の発明は、請求項２に記載の車両のコンソールであって、凹部には、最上段に位置するホルダーの開口を覆い可能なトレイを有するテーブルの脚を挿し込み可能となっていることを特徴とする構成である。
この構成によれば、ホルダーの開口が覆われるように倒したテーブルのトレイに小物を載置できる。
【図面の簡単な説明】
【０００９】
【図１】ベースに対して組み付け可能な各種ユーティリティーホルダーを示す斜視図である。
【図２】カスタマイズしたコンソールの一実施例（実施例１）である。
【図３】図２において、ユーティリティー機能を使用している状態を示す図である。
【図４】カスタマイズしたコンソールの他の実施例（実施例２）である。
【図５】図４において、ユーティリティー機能を使用している状態を示す図である。
【図６】カスタマイズしたコンソールの他の実施例（実施例３）である。
【図７】図７において、ユーティリティー機能を使用している状態を示す図である。
【図８】カスタマイズしたコンソールの他の実施例（実施例４）である。
【図９】図８において、ユーティリティー機能を使用している状態を示す図である。
【発明を実施するための形態】
【００１０】
以下、本発明を実施するための形態を、図面を用いて説明する。
（実施例１）
まず、本発明の実施例１を、図１〜３を用いて説明する。なお、この実施例１では、「ユーティリティー機能を備えたホルダー」として、「ドリンク容器８０を収納できる機能を備えたカップホルダー２０」を例に説明することとする。
【００１１】
また、以下の説明にあたって、上、下、前、後、左、右とは、上述した図に記載した、上、下、前、後、左、右の方向、すなわち、車両のフロア（図示しない）に締結されているベース１０を基準にしたときの上、下、前、後、左、右の方向を示している。このことは、後述する全ての実施例においても同様である。
【００１２】
まず、図１を参照して、ベース１０と、このベース１０に組み付け可能なカップホルダー２０とを個別に説明していく。
【００１３】
はじめに、ベース１０から説明していく。ベース１０は、その上部が開口していることで、この開口から内部の受け部１２に後述する各ホルダー２０、３０、４０の挿込脚５０、５０を挿し込んで組み付け可能な矩形状のプレート体から構成されている。このベース１０は、その長手方向が車両（図示しない）の前後方向に沿う格好となるように、運転席と助手席（いずれも図示しない）との間の車両フロア（図示しない）に締結されている。
【００１４】
この受け部１２の左右の内面には、後述するカップホルダー２０の挿込脚５０、５０を受け部１２に挿し込んだとき（カップホルダー２０をベース１０に組み付けたとき）、この挿し込んだ挿込脚５０のガイド爪５０ａ、５０ａを嵌め込み可能なガイド溝１２ａ、１２ａが形成されている。これにより、挿し込んだ挿込脚５０、５０の抜け防止（組み付けたカップホルダー２０の抜け防止）を図ることができる。これらのことは、後述するボックスホルダー４０とティッシュトレイホルダー３０においても同様である。
【００１５】
次に、カップホルダー２０を説明する。カップホルダー２０は、その上部が開口していることで、その内部の収納部２２にドリンク容器（図１において、図示しない）８０を収納可能なボックス体から構成されている。このカップホルダー２０の下面には、ベース１０の受け部１２に挿し込み可能な挿込脚５０、５０が前後に対を成すように形成されている。これにより、ベース１０にカップホルダー２０を組み付けることができる。この挿込脚５０の左右の側面には、上述したようにベース１０のガイド溝１２ａ、１２ａに嵌め込み可能なガイド爪５０ａ、５０ａが形成されている。
【００１６】
また、このカップホルダー２０の前面２０ａと後面２０ｂには、凹部６０がそれぞれ形成されている。なお、この凹部６０は、後述するボックスホルダー４０の前面４０ａと後面４０ｂおよびティッシュトレイホルダー３０の前面３０ａと後面３０ｂにも形成されている。そのため、これら各ホルダー２０、３０、４０が隣り合うようにベース１０に組み付けられると、隣り合う各ホルダー２０、３０、４０の一方の凹部６０、６０が向かい合う格好で隣り合うため、上部が開口した収納スペースＳが形成されることとなる。
【００１７】
また、この凹部６０の左右の内面には、後述するテーブル７０の挿込脚７４を収納スペースＳに挿し込んだとき（テーブル７０を収納スペースＳに組み付けたとき）、この挿し込んだ挿込脚７４の係合突起７４ａ、７４ａを嵌め込み可能な係合溝６０ａ、６０ａが形成されている。これにより、挿し込んだ挿込脚７４の抜け防止（組み付けたテーブル７０の抜け防止）を図ることができる。
【００１８】
なお、このカップホルダー２０であれば、ベース１０に対して４個組み付け可能となっている。すなわち、このカップホルダー２０は、ベース１０に対して１／４サイズとなるように形成されている。ベース１０と、カップホルダー２０とは、このように構成されている。
【００１９】
このように構成されているカップホルダー２０を車両の前後方向に沿って前側から順に４個ベース１０に組み付けると、図２に示すような、コンソール１が出来上がる。このようにコンソール１が出来上がると、隣り合う４個のホルダー２０、２０、２０、２０において、一方（前側）の凹部６０と他方（後側）の凹部６０とが向かい合う格好となるため、上部が開口した収納スペースＳが３箇所形成されることとなる。
【００２０】
本発明の実施例１に係るコンソール１は、上述したように構成されている。この構成によれば、従来技術で開示した特許文献１の技術と同様に、カップホルダー２０を車両の前後方向に沿って前側から順に４個ベース１０に組み付けると、コンソール１が出来上がる。このとき、隣り合うホルダー２０、２０の一方の凹部６０と他方の凹部６０とが向かい合う格好となるため、上部が開口した収納スペースＳが形成される。そのため、別途に、収納機能を有するホルダーを必要とすることなく、新たな、収納スペースＳを確保できる。このように確保できると、図３に示すように、４個のカップホルダー２０にドリンク容器８０をそれぞれ収納していても、この確保できた収納スペースＳに携帯電話９０やペン９２を収納できる。
【００２１】
（実施例２）
次に、本発明の実施例２を、図１、４〜５を用いて説明する。この実施例２は、既に説明した実施例１と比較すると、ティッシュボックス８２を載置できる機能も備えた形態である。そのため、この実施例２では、「ユーティリティー機能を備えたホルダー」として、「ティッシュボックス８２を載置できる機能を備えたティッシュトレイホルダー３０」を説明することとなる。なお、以下の説明にあたって、実施例１で説明した部材と同一または均等な構成の部材には、図面において、同一の符号を付すことで、重複する説明は省略することとする。このことは、全ての実施例において同様である。
【００２２】
まず、図１を参照して、ティッシュトレイホルダー３０を説明する。ティッシュトレイホルダー３０は、その上部が傾斜状を成していることで、この傾斜面の載置部３２にティッシュボックス（図１において、図示しない）８２を載置可能なボックス体から構成されている。このティッシュトレイホルダー３０の下面にも、上述したように、ベース１０の受け部１２に挿し込み可能な挿込脚５０、５０が前後に対を成すように形成されている。これにより、ベース１０にティッシュトレイホルダー３０を組み付けることができる。
【００２３】
また、このティッシュトレイホルダー３０の前面３０ａにも、上述したように、凹部６０が形成されている。なお、このティッシュトレイホルダー３０であれば、ベース１０に対して２個組み付け可能となっている。すなわち、このティッシュトレイホルダー３０は、ベース１０に対して１／２サイズとなるように形成されている。ティッシュトレイホルダー３０は、このように構成されている。
【００２４】
そして、２個のカップホルダー２０とティッシュトレイホルダー３０とを車両の前後方向に沿って前側から順にベース１０に組み付けると、図４に示すような、コンソール２が出来上がる。このようにコンソール２が出来上がると、隣り合う３個のホルダー２０、２０、３０において、一方（前側）の凹部６０と他方（後側）の凹部６０とが向かい合う格好となるため、上部が開口した収納スペースＳが２箇所形成されることとなる。
【００２５】
本発明の実施例２に係るコンソール２は、上述したように構成されている。この構成によれば、図５に示すように、実施例１のコンソール１と同様の作用効果を得つつ、ティッシュボックス８２を載置できる。
【００２６】
（実施例３）
次に、本発明の実施例３を、図１、６〜７を用いて説明する。この実施例３は、既に説明した実施例１と比較すると、大きな収納物（図示しない）を収納できる機能と、小物（図示しない）を載置できる機能とを備えた形態である。そのため、この実施例３では、「大きな収納物を収納できる機能を備えたホルダー」として、「大きな収納物８４を収納できる機能を備えたボックスホルダー４０」を説明することとなる。
【００２７】
まず、図１を参照して、ボックスホルダー４０とテーブル７０とを個別に説明していく。はじめに、ボックスホルダー４０から説明していく。ボックスホルダー４０は、その上部が開口していることで、その内部の収納部４２に大きな収納物（図１において、図示しない本等）８４を収納可能なボックス体から構成されている。このボックスホルダー４０の下面にも、上述したように、ベース１０の受け部１２に挿し込み可能な挿込脚５０、５０が前後に対を成すように形成されている。これにより、ベース１０にボックスホルダー４０を組み付けることができる。
【００２８】
また、このボックスホルダー４０の前面４０ａと後面４０ｂにも、上述したように、凹部６０がそれぞれ形成されている。なお、このボックスホルダー４０であれば、ベース１０に対して２個組み付け可能となっている。すなわち、このボックスホルダー４０は、ベース１０に対して１／２サイズとなるように形成されている。
【００２９】
次に、テーブル７０を説明する。テーブル７０は、小物（図示しない、アクセサリー、小銭等）を載置可能なトレイ７２と、このトレイ７２の縁にヒンジ結合された挿込脚７４とから構成されている。このトレイ７２は、カップホルダー２０の収納部２２を覆い可能なサイズに形成されている。また、このトレイ７２は、そのどちらの面もが小物を載置できるようにリバーシブル（両面使用可能）に形成されている。
【００３０】
一方、この挿込脚７４は、収納スペースＳに挿し込み可能に構成されている。この挿込脚７４の左右の側面には、上述したように凹部６０の係合溝６０ａ、６０ａに嵌め込み可能な係合突起７４ａ、７４ａが形成されている。テーブル７０は、このように構成されている。
【００３１】
そして、カップホルダー２０とボックスホルダー４０とカップホルダー２０とを車両の前後方向に沿って前側から順にベース１０に組み付けると、図６に示すような、コンソール３が出来上がる。このようにコンソール３が出来上がると、隣り合う３個のホルダー２０、４０、２０において、一方（前側）の凹部６０と他方（後側）の凹部６０とが向かい合う格好となるため、上部が開口した収納スペースＳが２箇所形成されることとなる。この２箇所形成された収納スペースＳに２個のテーブル７０の挿込脚７４をそれぞれ挿し込むと、この挿し込んだ２個のテーブル７０の各トレイ７２によってボックスホルダー４０の収納部４２を覆うことができる。
【００３２】
本発明の実施例３に係るコンソール３は、上述したように構成されている。この構成によれば、図７に示すように、実施例１のコンソール１と同様の作用効果を得つつ、大きな収納物を収納できる。また、携帯電話９０やペン９２に替えて、テーブル７０の挿込脚７４を収納できる。したがって、収納部４２の開口が覆われるように倒したテーブル７０のトレイ７２に小物を載置できる。
【００３３】
（実施例４）
最後に、本発明の実施例４を、図８〜９を用いて説明する。この実施例４は、既に説明した実施例３と比較すると、ドリンク容器８０と大きな収納物とを収納する機能を２倍にした形態である。そのため、２個のカップホルダー２０とボックスホルダー４０とをそれぞれ２段積みにしている。これにより、図８に示すような、コンソール４が完成する。この２段積みの記載が、特許請求の範囲に記載の「その高さ方向に複数積み重ね可能となっている」に相当する。
【００３４】
本発明の実施例４に係るコンソール４は、上述したように構成されている。この構成によれば、図９に示すように、実施例１のコンソール１と同様の作用効果を得つつ、ドリンク容器８０と大きな収納物とを２倍収納できる。
【００３５】
上述した内容は、あくまでも本発明の一実施の形態に関するものであって、本発明が上記内容に限定されることを意味するものではない。
各実施例では、「ユーティリティー機能を備えたホルダー」として、「ドリンク容器を収納できる機能を備えたカップホルダー２０」、「ティッシュボックスを載置できる機能を備えたティッシュトレイホルダー３０」、「大きな収納物を収納できる機能を備えたボックスホルダー４０」を例に説明した。しかし、これに限定されるものでなく、各種のユーティリティー機能を備えていれば、どのようなホルダーであっても構わない。もちろん、これら各ホルダー２０、３０、４０の組み合わせ（カスタマイズ）も、どのような組み合わせであっても構わない。
【００３６】
また、実施例４では、２個のカップホルダー２０とボックスホルダー４０とをそれぞれ２段積みにした形態を説明した。しかし、これに限定されるものでなく、何段積み（例えば、３段積み）であっても構わない。
【符号の説明】
【００３７】
１      コンソール（実施例１）
２      コンソール（実施例２）
３      コンソール（実施例３）
４      コンソール（実施例４）
２０    カップホルダー
２０ａ  前面
２０ｂ  後面
３０    ティッシュトレイホルダー
３０ａ  前面
３０ｂ  後面
４０    ボックスホルダー
４０ａ  前面
６０    凹部
７０    テーブル
７２    トレイ
【図１】
2014058271.tif 000003
【図２】
2014058271.tif 000004
【図３】
2014058271.tif 000005
【図４】
2014058271.tif 000006
【図５】
2014058271.tif 000007
【図６】
2014058271.tif 000008
【図７】
2014058271.tif 000009
【図８】
2014058271.tif 000010
【図９】
2014058271.tif 000011